(57)【要約】【課題】クローゼットを構成させると共に、占有空間を効率的に減らすことができ、自由に適用することができるワードローブを備える室内壁を提供する。【解決手段】床面と、室内壁構造と、設置空間に設置され、下端が前記床面に当接されると共に、第１側壁と対応する３〜４５センチの奥行きを有する直立板であるクローゼット側面板と、該クローゼット側面板の上縁と第１側壁との間に設置されると共に、該クローゼット側面板と同幅で、床面に対して平行なクローゼット上面板とを具備するクローゼットと、クローゼット側面板と第１側壁との間に設けられる掛止部材と、クローゼット側面板とクローゼット上面板の前縁と第１側壁との間に設けられるカバー部材とを有する。【選択図】図１
2010116772.tif 000002
【特許請求の範囲】
【請求項１】
床面と、該床面に対して垂直な背面壁と、該背面壁の一側に結合されると共に、前方に向かって延出する第１側壁と、該床面と背面壁と第１側壁とにより形成される設置空間とを具備する室内壁構造と、
前記設置空間に設置され、下端が前記床面に当接されると共に、前記第１側壁と対応する３〜４５センチの奥行きを有する直立板であるクローゼット側面板と、該クローゼット側面板の上縁と第１側壁との間に設置されると共に、該クローゼット側面板と同様の幅を有する、前記床面に対して平行なクローゼット上面板とを具備するクローゼットと、
前記クローゼット側面板と第１側壁との間に設けられる、衣服を吊すための掛止部材と、
前記クローゼット側面板とクローゼット上面板の前縁と第１側壁との間に設けられるカバー部材とを有することを特徴とするワードローブを備える室内壁。
【請求項２】
前記背面壁の他側に、前方に向かって延出すると共に、前記第１側壁と相対する第２側壁が設けられ、
前記設置空間が、前記床面と背面壁と第１側壁と第２側壁とにより形成されることを特徴とする請求項１に記載のワードローブを備える室内壁。
【請求項３】
前記クローゼット側面板と第２側壁との間に、前記床面に位置する化粧台が設けられることを特徴とする請求項２に記載のワードローブを備える室内壁。
【請求項４】
前記クローゼット側面板と第２側壁との間に、前記床面に位置する化粧台と、該床面に位置するアクセサリー棚とが設けられることを特徴とする請求項２に記載のワードローブを備える室内壁。
【請求項５】
床面と、該床面に対して垂直の背面壁とを具備する室内壁構造と、
後縁が前記背面壁に当接され、下端が前記床面に当接されると共に、対面し合う、夫々３〜４５センチの奥行きを有する直立板である２つのクローゼット側面板と、両端が夫々該２つのクローゼット側面板の上縁に結合されると共に、該クローゼット側面板と同様の奥行きを有する、前記床面に対して平行なクローゼット上面板とを具備するクローゼットと、
前記２つのクローゼット側面板の間に設けられる、衣服を吊すための掛止部材と、
前記２つのクローゼット側面板とクローゼット上面板
の前縁との間に設置される、前記クローゼットの内部空間を被覆するためのカバー部材と、を有することを特徴とするワードローブを備える室内壁。
【請求項６】
更に前記クローゼットの一側に当接されると共に、前記床面に位置する化粧台を有することを特徴とする請求項５に記載のワードローブを備える室内壁。
【請求項７】
更に前記クローゼットの一側に当接されると共に、前記床面に位置する化粧台と、
前記クローゼットの他側に当接されると共に、前記床面に位置するアクセサリー棚とを有することを特徴とする請求項５に記載のワードローブを備える室内壁。
【発明の詳細な説明】
【技術分野】
【０００１】
本発明は、特にインテリア空間を利用した、ワードローブを備える室内壁に関するものである。
【背景技術】
【０００２】
図８に示すように、例えば下記特許文献１に記載の従来のワードローブは、本体（５０）を有する。該本体（５０）は、背面板（５１）と、２つの側面板（５２）と、上面板（５３）と、下面板（５４）とからなり、また、該ワードローブの前面には、塵埃の侵入を防止するための引き戸（５５）が設けられる。
【先行技術文献】
【特許文献】
【０００３】
【特許文献１】台湾登録実用新案第Ｍ３４９２２１号
【発明の概要】
【発明が解決しようとする課題】
【０００４】
しかしながら、前記従来のワードローブは、衣服を収納することはできるが、前記本体（５０）はかなり肉厚であると共に、サイズが限られていることから、空間を無駄に占有してしまい、使用者が所望する効果を提供することができないので、室内の壁面に対して自由に設置することができなかった。
【０００５】
そこで、出願されたのが本発明であって、占有空間を減らすことができるクローゼットを、室内において自由に組み合わせることができる、ワードローブを備える室内壁を提供することを目的としている。
【課題を解決するための手段】
【０００６】
本願の請求項１の発明は、床面と、該床面に対して垂直な背面壁と、該背面壁の一側に結合されると共に、前方に向かって延出する第１側壁と、該床面と背面壁と第１側壁とにより形成される設置空間とを具備する室内壁構造（室内壁面構造体）と、
前記設置空間に設置され、下端が前記床面に当接されると共に、前記第１側壁と対応する３〜４５センチの奥行きを有する直立板であるクローゼット側面板と、該クローゼット側面板の上縁と第１側壁との間に設置されると共に、該クローゼット側面板と同様の幅を有する、前記床面に対して平行なクローゼット上面板とを具備するクローゼットと、
前記クローゼット側面板と第１側壁との間に設けられる、衣服を吊すための掛止部材と、
前記クローゼット側面板とクローゼット上面板の前縁と第１側壁との間に設けられるカバー部材とを有することを特徴とするワードローブを備える室内壁、を提供する。
【０００７】
本願の請求項２の発明は、前記背面壁の他側に、前方に向かって延出すると共に、前記第１側壁と相対する第２側壁が設けられ、
前記設置空間が、前記床面と背面壁と第１側壁と第２側壁とにより形成されることを特徴とする請求項１に記載のワードローブを備える室内壁、を提供する。
【０００８】
本願の請求項３の発明は、前記クローゼット側面板と第２側壁との間に、前記床面に位置する化粧台が設けられることを特徴とする請求項２に記載のワードローブを備える室内壁、を提供する。
【０００９】
本願の請求項４の発明は、前記クローゼット側面板と第２側壁との間に、前記床面に位置する化粧台と、該床面に位置するアクセサリー棚とが設けられることを特徴とする請求項２に記載のワードローブを備える室内壁、を提供する。
【００１０】
本願の請求項５の発明は、床面と、該床面に対して垂直の背面壁とを具備する室内壁構造と、
後縁が前記背面壁に当接され、下端が前記床面に当接されると共に、対面し合う、夫々３〜４５センチの奥行きを有する直立板である２つのクローゼット側面板と、両端が夫々該２つのクローゼット側面板の上縁に結合されると共に、該クローゼット側面板と同様の奥行きを有する、前記床面に対して平行なクローゼット上面板とを具備するクローゼットと、
前記２つのクローゼット側面板の間に設けられる、衣服を吊すための掛止部材と、
前記２つのクローゼット側面板とクローゼット上面板
の前縁との間に設置される、前記クローゼットの内部空間を被覆するためのカバー部材と、を有することを特徴とするワードローブを備える室内壁、を提供する。
【００１１】
本願の請求項６の発明は、更に前記クローゼットの一側に当接されると共に、前記床面に位置する化粧台を有することを特徴とする請求項５に記載のワードローブを備える室内壁、を提供する。
【００１２】
本願の請求項７の発明は、更に前記クローゼットの一側に当接されると共に、前記床面に位置する化粧台と、
前記クローゼットの他側に当接されると共に、前記床面に位置するアクセサリー棚とを有することを特徴とする請求項５に記載のワードローブを備える室内壁、を提供する。
【発明の効果】
【００１３】
本発明に係るワードローブを備える室内壁は、上記の課題を解決するものであり、掛止部材により衣服を吊して収納することができるのみならず、カバー部材により塵埃の侵入を防止するもでき、更に、クローゼットは３〜４５センチの奥行きにおいて、背面壁及び第１側壁により該クローゼットを構成させることができることから、室内壁に沿ってクローゼットを設置できるので、ワードローブの占有空間をより小さくすることができる。
【図面の簡単な説明】
【００１４】
【図１】本発明に係るワードローブを備える室内壁の第１実施例を示す斜視図である。
【図２】本発明に係るワードローブを備える室内壁の第１実施例におけるアクセサリー棚を示す拡大図である。
【図３】本発明に係るワードローブを備える室内壁の第２実施例におけるクローゼットを示す斜視図である。
【図４】本発明に係るワードローブを備える室内壁の第３実施例におけるクローゼットを示す斜視図である。
【図５】本発明に係るワードローブを備える室内壁の第４実施例を示す斜視図である。
【図６】本発明に係るワードローブを備える室内壁の第５実施例を示す斜視図である。
【図７】本発明に係るワードローブを備える室内壁の第６実施例を示す斜視図である。
【図８】従来のワードローブの斜視図である。
【発明を実施するための形態】
【００１５】
以下、添付図面を参照して本発明の好適な実施の形態を詳細に説明する。
【００１６】
図１は本発明に係るワードローブを備える室内壁の第１実施例を示す斜視図であり、図２は本発明に係るワードローブを備える室内壁の第１実施例におけるアクセサリー棚を示す拡大図であり、図３は本発明に係るワードローブを備える室内壁の第２実施例におけるクローゼットを示す斜視図であり、図４は本発明に係るワードローブを備える室内壁の第３実施例におけるクローゼットを示す斜視図であり、図５は本発明に係るワードローブを備える室内壁の第４実施例を示す斜視図であり、図６は本発明に係るワードローブを備える室内壁の第５実施例を示す斜視図であり、図７は本発明に係るワードローブを備える室内壁の第６実施例を示す斜視図である。
【００１７】
図１及び図２に示すように、本発明に係るワードローブを備える室内壁の第１実施例は、室内壁面構造（１０）と、クローゼット（２０）と、掛止部材と、カバー部材と、化粧台（３０）と、アクセサリー棚（４０）とを有する。
【００１８】
その内、前記室内壁面構造（１０）は、床面（１１）と、該床面（１１）に対して垂直の背面壁（１２）と、該背面壁（１２）の第１側に結合されると共に、前方に向かって延出する第１側壁（１３）と、該背面壁（１２）の第２側に結合され、前方に向かって延出すると共に、前記第１側壁（１３）と相対する第２側壁（１４）と、該床面（１１）と背面壁（１２）と第１側壁（１３）と第２側壁（１４）とにより形成される設置空間（１５）とを具備するものである。
【００１９】
前記クローゼット（２０）は、前記設置空間（１５）に設けられ、下端が前記床面（１１）に当接されると共に、前記第１側壁（１３）に対して３〜４５センチの奥行きを有する、直立板であるクローゼット側面板（２１）と、該クローゼット側面板（２１）の上縁と第１側壁（１３）との間に設置されると共に、該クローゼット側面板（２１）と同様の奥行きを有する、該床面（１１）に対して平行なクローゼット上面板（２２）とを具備するものである。また、前記クローゼット上面板（２２）の底面には、照明装置として照明効果を提供するための電球（２５）が設置される。
【００２０】
前記掛止部材は、衣服を吊すために、前記クローゼット側面板（２１）と第１側壁（１３）との間に横方向に沿って設けられ、一端が該第１側壁（１３）に結合されると共に、他端が該クローゼット側面板（２１）に結合されるロッド（２３）である。
【００２１】
前記カバー部材は、前記クローゼット側面板（２１）とクローゼット上面板（２２）の前縁と第１側壁（１３）との間に設けられ、上縁が該クローゼット上面板（２２）の前縁に設置されるカーテン（２４）である。このカーテン（２４）は、該クローゼット側面板（２１）と第１側壁（１３）との間において左右方向に開閉する。これにより、クローゼット内への塵埃の侵入を防止し、より優れた収納効果を提供することができる。
【００２２】
前記化粧台（３０）は、前記設置空間（１５）の内部に設けられ、前記床面（１１）に位置する化粧台本体（３１）を有し、この化粧台本体（３１）は、前記クローゼット側面板（２１）に当接され、前記クローゼット（２０）の近傍に位置すると共に、該クローゼット（２０）と同様の奥行きを有する。
【００２３】
また、前記化粧台（３０）は、その内部の背部に直立に設けられる化粧鏡（３２）と、両端が夫々該化粧台（３０）の両側中央部に結合されると共に、床面（１１）に対して平行なプレート体である、透明なデスク用プレート（３３）と、前記化粧台本体（３１）内の上部に設置され、該化粧台（３０）の内部に照明効果を提供するための照明装置としての電球（３４）とを有する。
【００２４】
前記アクセサリー棚（４０）は、前記設置空間（１５）の内部に設けられ、前記化粧台（３０）と第２側壁（１４）との間における床面（１１）に位置するアクセサリー棚本体（４１）を有し、該アクセサリー棚本体（４１）の一側が該化粧台（３０）に当接されると共に、他側が該第２側壁（１４）に当接される。
【００２５】
また、前記アクセサリー棚（４０）は、その内部の背部に直立に設けられるアクセサリー棚背面板（４２）と、該アクセサリー棚背面板（４２）の内面の上半部に設けられると共に、アクセサリー棚（４０）の内部へ突出する複数のハンガー柱（４３）と、該複数のハンガー柱（４３）の下方における、該アクセサリー棚背面板（４２）の内面に設けられると共に、該アクセサリー棚（４０）の内部へ突出する複数の宝石箱（４４）と、該複数のハンガー柱（４３）の下方における、該アクセサリー棚背面板（４２）の内面に設けられると共に、アクセサリー棚（４０）の内部へ突出する複数の陳列プレート（４５）と、該アクセサリー棚背面板（４２）の下半部に設けられると共に、アクセサリー棚（４０）の内部へ突出する複数のＬ字状の靴掛け台（４６）とを有する。該複数の靴掛け台（４６）は、上下方向に所定の間隔をおいて、且つ左右で一対となるように設置され、その対が上下方向に所定の間隔で複数設けられる。
【００２６】
さらに、前記アクセサリー棚本体（４１）の前面に、塵埃の侵入を防ぐための、アクセサリー棚本体（４１）を封止するガラスドア（４７）が設置され、該アクセサリー棚本体（４１）内の上部には、アクセサリー棚本体（４１）の内部を照明する電球（４８）が設置される。
【００２７】
本発明に係るワードローブを備える室内壁の第１実施例を使用する時は、例えば、前記クローゼット（２０）のロッド（２３）に衣服を吊し、化粧台（３０）を用いて化粧を行い、アクセサリー棚（４０）のハンガー柱（４３）にアクセサリーを吊し、宝石箱（４４）に指輪などの貴重品を収納し、対ごとに設置される靴掛け台（４６）に靴を収納できるだけではなく、前記ガラスドア（４７）越しに上記収納陳列した品が見えるので、部屋におけるインテリアの一部としてその陳列効果を利用することができる。
【００２８】
本発明におけるクローゼット（２０）は、建築物の背面壁（１２）及び第１側壁（１３）よりなるものであり、３〜４５センチの奥行きしかない室内壁面構造（１０）であっても設置させることができるので、前記クローゼット（２０）、化粧台（３０）、及びアクセサリー棚（４０）の構成は、部屋におけるワードローブの占める空間を減らすことができる。
【００２９】
上述した通り、前記掛止部材はロッド（２３）であってもよいが、例えば図３における、本発明に係るワードローブを備える室内壁の第２実施例に示すように、ロッド（２３）の代わりに、掛止プレート（２３Ａ）を掛止部材として用いてもよい。
【００３０】
本発明に係るワードローブを備える室内壁の第２実施例では、掛止プレート（２３Ａ）は、背面壁（１２）の内面に当接され、床面（１１）と第１側壁（１３）とクローゼット側面板（２１）とクローゼット上面板（２２）との間における所定の位置に設置され、複数の掛止孔（２３１Ａ）と、夫々該掛止孔（２３１Ａ）に掛止される、衣服を吊すための少なくとも１つのフック（２３２Ａ）とを有するものである。
【００３１】
また、前記カバー部材は、前記第１実施例のようなカーテン（２４）であってもよいが、例えば図４における、本発明に係るワードローブを備える室内壁の第３実施例に示すように、カーテン（２４）の代わりに、ロールスクリーン（２４Ａ）をカバー部材として用いてもよい。
【００３２】
本発明に係るワードローブを備える室内壁の第３実施例では、ロールスクリーン（２４Ａ）は、上縁が前記クローゼット上面板（２２）の前縁に設置され、使用時、このロールスクリーン（２４Ａ）を巻き上げ、前記クローゼット（２０）を使用することができる。
【００３３】
図５に示すように、本発明に係るワードローブを備える室内壁の第４実施例は、前記第１実施例と異なる建築物の室内壁面構造であり、前記第１実施例の化粧台（３０）及びアクセサリー棚（４０）と異なる配置となっている。
【００３４】
上述したように、この第４実施例の室内壁面構造（１０Ａ）は、前記第１実施例の室内壁面構造（１０）と異なる形態を有するものであり、該室内壁面構造（１０Ａ）の背面壁（１２Ａ）における左右方向の横幅は、クローゼット（２０）よりやや大きく、また、該室内壁面構造（１０Ａ）の第２側壁（１４Ａ）は、第１側壁（１３）よりさらに前方に向かって延出している。
【００３５】
更に、前記第４実施例のクローゼット（２０）は、第１実施例のクローゼット（２０）と同様に、第１側壁（１３）と背面壁（１２Ａ）との間に設けられるが、第４実施例のアクセサリー棚（４０）及び化粧台（３０）は前後方向に沿って並設されると共に、該アクセサリー棚（４０）及び化粧台（３０）の背部は夫々前記第２側壁（１４Ａ）に当接される。また、前記化粧台（３０）におけるクローゼット（２０）の近傍に位置する一側が、クローゼット（２０）における化粧台（３０）の近傍に位置するクローゼット側面板（２１）の前縁に隣接され、これにより、クローゼット（２０）、アクセサリー棚（４０）及び化粧台（３０）の配置が、建築物の室内壁面構造（１０Ａ）に整合するので、背面壁（１２Ａ）と共にクローゼット（２０）の構成により、占有空間を減らすことができる。
【００３６】
図６に示すように、本発明に係るワードローブを備える室内壁の第５実施例は、前記第１実施例における室内壁面構造（１０）、クローゼット（２０）、化粧台（３０）及びアクセサリー棚（４０）と異なる配置となっている。
【００３７】
前記本発明の第５実施例は、室内壁面構造（１０Ｂ）と、クローゼット（２０Ｂ）と、掛止部材と、カバー部材と、化粧台（３０）と、アクセサリー棚（４０）とを有するものである。
【００３８】
そのうち、前記室内壁面構造（１０Ｂ）は、建築物の内部に形成され、床面（１１Ｂ）と、該床面（１１Ｂ）に対して垂直の背面壁（１２Ｂ）とを具備する。
【００３９】
前記クローゼット（２０Ｂ）は、その後縁が前記背面壁（１２Ｂ）に当接されると共に、下端が前記床面（１１Ｂ）に当接され、対面し合い、夫々３〜４５センチの奥行きを有する直立板である２つのクローゼット側面板（２１Ｂ）と、両端が夫々該２つのクローゼット側面板（２１Ｂ）の上縁に結合されると共に、該クローゼット側面板（２１Ｂ）と同様の奥行きを有する、該床面（１１Ｂ）に対して平行なクローゼット上面板（２２Ｂ）と、該２つのクローゼット側面板（２１Ｂ）の下縁の間に設置されると共に、該床面（１１Ｂ）に位置するクローゼット下面板（２３Ｂ）と、該クローゼット下面板（２３Ｂ）及びクローゼット上面板（２２Ｂ）の前縁に夫々横方向に沿って延設されるレール（２４Ｂ）とを具備する。また、該クローゼット上面板（２２Ｂ）の底面には、クローゼット（２０Ｂ）の内部を照明するためのバブル（２７Ｂ）が設置される。
【００４０】
前記掛止部材は、衣服を吊すために、前記２つのクローゼット側面板（２１Ｂ）の間に横方向に沿って設けられると共に、その両端は夫々、該クローゼット側面板（２１Ｂ）に結合されるロッド（２３）である。
【００４１】
前記カバー部材は、前記２つのクローゼット側面板（２１Ｂ）とクローゼット上面板（２２Ｂ）の前縁との間における前記レール（２４Ｂ）上に、左右方向に沿って摺動可能に設置される引き戸（２６Ｂ）であり、この引き戸（２６Ｂ）によりクローゼット（２０Ｂ）を封止すれば、クローゼット内への塵埃の侵入を防ぐことができるので、より優れた収納効果を提供することができる。
【００４２】
前記化粧台（３０）及びアクセサリー棚（４０）は、前記第１実施例において用いられるものと同様のものであり、前記床面（１１Ｂ）に位置し、且つ、前記クローゼット（２０Ｂ）の両側に並設されるものである。
【００４３】
尚、本発明に係るワードローブを備える室内壁の第５実施例においては、前記掛止部材にロッド（２５Ｂ）を用いてもよいが、該ロッド（２５Ｂ）の代わりに、例えば、前記第２実施例のように、掛止プレート（２３Ａ）、掛止孔（２３１Ａ）及びフック（２３２Ａ）からなる構成を用いても構わない。
【００４４】
更に、前記カバー部材として用いられる引き戸（２６Ｂ）の代わりに、例えば、前記第１実施例のカーテン（２４）、又は第３実施例のロールスクリーン（２４Ａ）を、第５実施例のカバー部材として用いてもよく、また、第５実施例のレール（２４Ｂ）及び該レール（２４Ｂ）に摺動可能な引き戸（２６Ｂ）を、例えば第１〜４実施例のクローゼット（２０）に適用しても何ら問題はない。即ち、本発明の範囲は、これらの構成に限られない。
【００４５】
図７に示すように、本発明に係るワードローブを備える室内壁の第６実施例の室内壁面構造（１０Ｃ）は、前記第５実施例の室内壁面構造（１０Ｂ）と異なる形態を有するものであり、この室内壁面構造（１０Ｃ）は、クローゼット（２０Ｂ）に対応し、背面壁（１２Ｃ）と、該背面壁（１２Ｃ）に設けられると共に、前方に向かって延出する側壁（１３Ｃ）とを有するものである。
【００４６】
また、前記クローゼット（２０Ｂ）は、第５実施例と同様に、背面壁（１２Ｃ）に設けられるが、前記アクセサリー棚（４０）及び化粧台（３０）は、前後方向に沿って並設されると共に、このアクセサリー棚（４０）の背部及び化粧台（３０）の背部は、前記側壁（１３Ｃ）に当接され、また、前記化粧台（３０）におけるクローゼット（２０Ｂ）の近傍に位置する一側が、該クローゼット（２０Ｂ）における化粧台（３０）の近傍に位置するクローゼット側面板（２１Ｂ）の前縁に隣接される。これにより、クローゼット（２０Ｂ）、アクセサリー棚（４０）及び化粧台（３０）の配置が、建築物の室内壁面構造（１０Ｃ）に整合し、背面壁（１２Ｃ）と共にクローゼット（２０Ｂ）を構成により、占有空間を減らすことができる。
【産業上の利用可能性】
【００４７】
本発明に係るワードローブを備える室内壁は、上述した構成を有するので、多様な建築物に適用させて、効率的にインテリア空間を構成することができる。
【符号の説明】
【００４８】
１０・・・・・・室内壁面構造
１０Ａ・・・・・室内壁面構造
１０Ｂ・・・・・室内壁面構造
１０Ｃ・・・・・室内壁面構造
１１・・・・・・床面
１１Ｂ・・・・・床面
１２・・・・・・背面壁
１２Ａ・・・・・背面壁
１２Ｂ・・・・・背面壁
１２Ｃ・・・・・背面壁
１３・・・・・・第１側壁
１３Ｃ・・・・・側壁
１４・・・・・・第２側壁
１４Ａ・・・・・第２側壁
１５・・・・・・設置空間
２０・・・・・・クローゼット
２０Ｂ・・・・・クローゼット
２１・・・・・・クローゼット側面板
２１Ｂ・・・・・クローゼット側面板
２２・・・・・・クローゼット上面板
２２Ｂ・・・・・クローゼット上面板
２３・・・・・・ロッド
２３１Ａ・・・・掛止孔
２３２Ａ・・・・フック
２３Ａ・・・・・掛止プレート
２３Ｂ・・・・・クローゼット下面板
２４・・・・・・カーテン
２４Ａ・・・・・ロールスクリーン
２４Ｂ・・・・・レール
２５・・・・・・電球
２５Ｂ・・・・・ロッド
２６Ｂ・・・・・引き戸
２７Ｂ・・・・・バブル
３０・・・・・・化粧台
３１・・・・・・化粧台本体
３２・・・・・・化粧鏡
３３・・・・・・透明なデスク用プレート
３４・・・・・・電球
４０・・・・・・アクセサリー棚
４１・・・・・・アクセサリー棚本体
４２・・・・・・アクセサリー棚背面板
４３・・・・・・ハンガー柱
４４・・・・・・宝石箱
４５・・・・・・陳列プレート
４６・・・・・・靴掛け台
４７・・・・・・ガラスドア
４８・・・・・・電球
５０・・・・・・本体
５１・・・・・・背面板
５２・・・・・・側面板
５３・・・・・・上面板
５４・・・・・・下面板
５５・・・・・・引き戸
【図１】
2010116772.tif 000003
【図２】
2010116772.tif 000004
【図３】
2010116772.tif 000005
【図４】
2010116772.tif 000006
【図５】
2010116772.tif 000007
【図６】
2010116772.tif 000008
【図７】
2010116772.tif 000009
【図８】
2010116772.tif 000010